(57)【要約】【課題】特定の場所での操作を可能にしつつ、外光のノイズによる誤動作を抑制できるプロジェクターを提供すること。【解決手段】遠隔操作手段から出力される光信号を受光し、受光した光信号に基づいて操作されるプロジェクターは、光信号を受光する受光素子６２と、受光素子６２を収納し、光信号が通過する受光用開口部２３１を有する外装筐体２と、光信号を反射し受光用開口部２３１を介して受光素子６２に導く反射部材５とを備え、反射部材５は、外装筐体２に対して、受光用開口部２３１の開口面２３１１に直交する直交軸Ａｘを中心として回動可能に取り付けられている。【選択図】図２
2010204611.tif 000002
【特許請求の範囲】
【請求項１】
遠隔操作手段から出力される光信号を受光し、受光した光信号に基づいて操作されるプロジェクターであって、
前記光信号を受光する受光素子と、
前記受光素子を収納し、前記光信号が通過する受光用開口部を有する外装筐体と、
前記光信号を反射し前記受光用開口部を介して前記受光素子に導く反射部材とを備え、
前記反射部材は、
前記外装筐体に対して、前記受光用開口部の開口面に直交する直交軸を中心として回動可能に取り付けられている
ことを特徴とするプロジェクター。
【請求項２】
請求項１に記載のプロジェクターにおいて、
前記反射部材は、
前記受光素子の配設位置を焦点位置とし、前記焦点位置を通る前記直交軸を中心として回転させた回転放物曲面状に形成され、前記光信号を反射して前記配設位置に集光させる
ことを特徴とするプロジェクター。
【請求項３】
請求項１または請求項２に記載のプロジェクターにおいて、
前記外装筐体には、
前記受光用開口部を閉塞し、前記光信号を透過するカバー部材が取り付けられ、
前記カバー部材は、
前記外装筐体に対して、前記受光用開口部の開口面に直交する直交軸を中心として回動可能に取り付けられ、
前記反射部材は、
前記カバー部材の内面に設けられている
ことを特徴とするプロジェクター。
【請求項４】
請求項３に記載のプロジェクターにおいて、
前記カバー部材の内面は、
前記受光素子の配設位置を焦点位置とし、前記焦点位置を通る前記直交軸を中心として回転させた回転放物曲面状に形成されている
ことを特徴とするプロジェクター。
【請求項５】
請求項３に記載のプロジェクターにおいて、
前記カバー部材は、
外面が所定位置を中心とする球面状に形成され、前記外装筐体に対して、前記所定位置を中心として回動可能に取り付けられている
ことを特徴とするプロジェクター。
【発明の詳細な説明】
【技術分野】
【０００１】
本発明は、プロジェクターに関する。
【背景技術】
【０００２】
従来、リモートコントローラー（以下、リモコンと記載）等の遠隔操作手段を操作することで出力される光信号（赤外線）を受光する受光素子を備えた赤外線通信装置が知られている（例えば、特許文献１参照）。
ここで、受光素子は、一般的に指向性を有しており、所定方向（受光方向）を中心として所定角度の範囲（以下、受光範囲）内から導入される光信号を受光することができる。
特許文献１に記載の赤外線通信装置によれば、外装筐体を構成するフロントケースの略中央部分には、可動自在に可動部が取り付けられ、この可動部には、受光素子を備えた受光部が設けられている。すなわち、可動部を動作させることで、リモコンから出力される光信号に対して受光部の向きを変更して、特定の場所での操作を可能にしている。
【先行技術文献】
【特許文献】
【０００３】
【特許文献１】特開平１０−３２２２７３号公報
【発明の概要】
【発明が解決しようとする課題】
【０００４】
ところで、特許文献１に記載の赤外線通信装置では、受光素子が外光（例えば、蛍光灯）のノイズを受光してしまうおそれがある。そのため、この特許文献１に記載の赤外線通信装置が搭載されたプロジェクターでは、受光素子が外光のノイズを受光することとなり、プロジェクターが誤動作するという問題がある。
【０００５】
本発明の目的は、特定の場所での操作を可能にしつつ、外光のノイズによる誤動作を抑制できるプロジェクターを提供することにある。
【課題を解決するための手段】
【０００６】
本発明のプロジェクターは、遠隔操作手段から出力される光信号を受光し、受光した光信号に基づいて操作されるプロジェクターであって、前記光信号を受光する受光素子と、前記受光素子を収納し、前記光信号が通過する受光用開口部を有する外装筐体と、前記光信号を反射し前記受光用開口部を介して前記受光素子に導く反射部材とを備え、前記反射部材は、前記外装筐体に対して、前記受光用開口部の開口面に直交する直交軸を中心として回動可能に取り付けられていることを特徴とする。
【０００７】
本発明によれば、光信号を反射する反射部材は、直交軸を中心として回動可能に外装筐体に取り付けられている。例えば、遠隔操作手段の光信号の出力位置に対して、反射部材の反射面に向くように反射部材を回動させることで、光信号が受光用開口部を介して受光素子に対して良好に導くことができ、特定の場所での操作を可能にする。
さらに、反射部材は受光用開口部の外側に配設されて、受光用開口部の一部を覆っている。これによれば、反射部材の反射面とは反対側の面により、蛍光灯等の外光も反射するので、外光のノイズを遮蔽することができ、受光素子が外光のノイズを受光することによるプロジェクターの誤動作を抑制できる。
【０００８】
本発明のプロジェクターでは、前記反射部材は、前記受光素子の配設位置を焦点位置とし、前記焦点位置を通る前記直交軸を中心として回転させた回転放物曲面状に形成され、前記光信号を反射して前記配設位置に集光させることが好ましい。
本発明によれば、反射部材は、受光素子の配設位置を焦点位置とし、焦点位置を通る直交軸を中心として回転させた回転放物曲面状に形成される。これによれば、カバー部材を回動させない場合において、カバー部材の内面に設けられる反射部材により、光信号を確実に受光素子の配設位置に集光することができる。
また、カバー部材を回動させた場合であっても、カバー部材の内面に設けられる反射部材により、光信号を確実に受光素子の配設位置に集光することができ、光信号を受光素子に対して良好に導くことができる。
【０００９】
本発明のプロジェクターでは、前記外装筐体には、前記受光用開口部を閉塞し、前記光信号を透過するカバー部材が取り付けられ、前記カバー部材は、前記外装筐体に対して、前記受光用開口部の開口面に直交する直交軸を中心として回動可能に取り付けられ、前記反射部材は、前記受光素子の配設位置を焦点位置とし、前記焦点位置を通る前記直交軸を中心として回転させた回転放物曲面状に形成され、前記光信号を反射して前記配設位置に集光させるとともに、前記カバー部材の内面に設けられていることが好ましい。
【００１０】
本発明によれば、反射部材は、光信号を透過するカバー部材の内面に設けられている。例えば、カバー部材の外面に反射部材が取り付けられると、遠隔操作手段から出力される光信号がカバー部材を二回透過して、反射部材にて反射され、再度カバー部材を透過することとなる。すなわち、反射部材をカバー部材の外面に設けると、光信号が減衰し、受光素子が良好に光信号を受光できないおそれがある。これに対して、カバー部材の内面に反射部材が取り付けられる場合では、遠隔操作手段から出力される光信号がカバー部材を一回透過するのみで、反射部材で反射されることとなる。従って、反射部材をカバー部材の外面に取り付ける場合と比べると、光信号の減衰を抑制でき、受光素子は良好に光信号を受光することができる。
また、カバー部材は、回動可能に外装筐体に対して取り付けられ、反射部材は、カバー部材の内面に設けられているので、カバー部材を回動させることで、反射部材も回動することとなる。すなわち、カバー部材と反射部材とを一体にしたことで、カバー部材と反射部材とを別体にした場合と比べて、構造の簡素化を図れる。
【００１１】
本発明のプロジェクターでは、前記カバー部材の内面は、前記受光素子の配設位置を焦点位置とし、前記焦点位置を通る前記直交軸を中心として回転させた回転放物曲面状に形成されていることが好ましい。
本発明によれば、カバー部材の内面は、受光素子を焦点位置として、当該焦点位置を通る直交軸を中心として回転させた回転放物曲面状に形成されている。これによれば、カバー部材の内面に対して、例えば、蒸着等によって、光信号を確実に受光素子の配設位置に集光する反射部材を容易に形成することができる。
【００１２】
前記カバー部材は、外面が所定位置を中心とする球面状に形成され、前記外装筐体に対して、前記所定位置を中心として回動可能に取り付けられていることが好ましい。
本発明によれば、カバー部材の外面が球面状であるので、カバー部材を所定位置を中心として複数方向に回動することができる。また、反射部材の回動方向の自由度を向上することができる。すなわち、種々の場所での操作を可能とすることができる。
【図面の簡単な説明】
【００１３】
【図１】本発明の第１実施形態に係るプロジェクターを前面上方側から見た斜視図。
【図２】図１でのＩＩ−ＩＩ線断面図。
【図３】前記実施形態における光信号及び外光の光路を示す模式図。
【図４】本発明の第２実施形態に係るプロジェクターを前面上方側から見た斜視図。
【図５】図４でのＶ−Ｖ線断面図。
【図６】本発明の第３実施形態に係るプロジェクターを前面上方側から見た斜視図。
【図７】図６でのＶＩＩ−ＶＩＩ線断面図。
【発明を実施するための形態】
【００１４】
［第１実施形態］
以下、本発明に係る第１実施形態を図面に基づいて説明する。
［プロジェクターの概略構成］
図１は、本発明に係るプロジェクター１を前面上方側から見た斜視図である。
図２は、図１のＩＩ−ＩＩ線断面図であり、本実施形態の要部を示す横断面図である。
なお、以下で記載する「前面」、「背面」は、図１における図面視において、前面および背面に相当するものである。
【００１５】
プロジェクター１は、画像情報に応じた画像を形成してスクリーン（図示略）上に投射レンズ３により投射する。また、プロジェクター１は、リモコンから出力される光信号を後述する受光装置６で受光して、この受光した光信号に基づいて操作される。このプロジェクター１は、図１に示すように、外装を構成する外装筐体２を備える。
【００１６】
外装筐体２は、図１に示すように鉛直方向に交差する天面部２１及び底面部２２と、前面部２３と、背面部２４と、右側面部２５と、左側面部２６とを備え、略直方体形状を有する。そして、外装筐体２は、天面部２１を有するアッパーケース２Ａと、底面部２２を有するロアーケース２Ｂとで大略構成されている。
外装筐体２の前面部２３における右下位置、すなわちロアーケース２Ｂには、図１に示すように、膨出したカバー部材４が取り付けられている。また、カバー部材４の内面の一部には、図１（破線部分参照）及び図２に示すように、所定の範囲に反射部材５が設けられている。
なお、カバー部材４、反射部材５の構成についての詳細は、後述する。
【００１７】
ロアーケース２Ｂには、図１及び図２に示すように、略円形状の受光用開口部２３１が形成されている。この受光用開口部２３１の内部には、図２に示すように、遠隔操作手段としてのリモコン（図示略）から出力される光信号（赤外線信号）を受光する受光装置６が配設されている。
前面部２３の裏面には、受光用開口部２３１を囲うように、前面部２３側から見て略円形枠状に形成され、カバー部材４を支持する支持部２３２が形成されている。また、前面部２３の裏面には、図２に示すように、断面視略コ字型の取付部２３３が外装筐体２に対して、一体的に形成される。この取付部２３３には、受光装置６が取り付けられる。
【００１８】
受光装置６は、図２に示すように、基板６１と、受光素子６２とで概略構成される。
基板６１は、ケーブル（図示略）によって制御装置（図示略）と電気的に接続され、受光素子６２から発せられた信号をケーブルを通して制御装置に送信する。この基板６１は、取付部２３３に天面部２１側から取り付けられて、ロアーケース２Ｂに固定される。
受光素子６２は、基板６１に半田付け等によって取り付けられ、リモコンから出力される光信号を受光するものであり、図２に示すように、カバー部材４の焦点位置Ｏ１に配設される。
【００１９】
［カバー部材の構成］
カバー部材４は、図２に示すように、透光性材料で形成され、前面部２３に形成された略円形状の受光用開口部２３１を閉塞するように取り付けられている。
カバー部材４は、図２に示すように、ドーム部４１と、つば部４２とを備える。
【００２０】
ドーム部４１は、外方へ向けて膨出し、光信号を透過させる部分である。このドーム部４１の内面は、焦点位置Ｏ１を通り開口面２３１１に直交する直交軸Ａｘを中心として回転させた回転放物曲面状に形成されている。また、ドーム部４１の外面も内面と同様に形成され、ドーム部４１は、略均一な肉厚で形成されている。
つば部４２は、ドーム部４１の周端部分から外方へ向けて延出し、前面部２３側から見て略円形状に形成されている。そして、つば部４２は、直交軸Ａｘを中心として回動可能となるように支持部２３２に支持される。
【００２１】
［反射部材の構成］
反射部材５は、ドーム部４１の内面に沿って蒸着形成され、または接着剤等で取り付けられている。この反射部材５は、ドーム部４１を透過し、カバー部材４の内部に導入された光信号を受光装置６へ向けて反射する。さらに、反射部材５は、蛍光灯等の外光のノイズを反射することで、受光装置６へ向う外光を遮蔽する。
本実施形態では、ドーム部４１の内面には、反射部材５がドーム部４１の略半分を覆う範囲に取り付けられている。なお、反射部材５がカバー部材４の内面に取り付けられる範囲は、光信号を反射する範囲、及び外光等のノイズを遮蔽する範囲に応じて、適宜決められる。
【００２２】
［光信号及び外光の光路］
図３は、反射部材５で反射される光信号及び蛍光灯等の外光の光路を模式的に示す図である。
リモコンから出力される光信号は、図３に示すように、光束Ｌ１として、カバー部材４を透過して、カバー部材４内に侵入する。そして、光束Ｌ１は、反射部材５にて反射され、焦点位置Ｏ１に配設される受光素子６２に集光する。
また、蛍光灯等の外光から出力される光束Ｌ２は、カバー部材４を透過するが、図３に示すように、反射部材５で反射され、カバー部材４内には侵入することがない。
【００２３】
［カバー部材の回動操作］
次に、カバー部材４の回動操作について説明する。
リモコンの操作位置に応じて、カバー部材４のドーム部４１を把持して、直交軸Ａｘを図２に示す矢印Ａの方向に回動させる。すなわち、光信号の出力位置に対して、反射部材５に向くように、カバー部材４を回動させる。これにより、光信号はカバー部材４を透過し、カバー部材４内に侵入した光信号は反射部材５にて反射されて、焦点位置Ｏ１に集光することとなる。
【００２４】
上述した第１実施形態によれば、以下の効果がある。
（１）光信号を反射する反射部材５は、直交軸Ａｘを中心として回動可能に外装筐体２に取り付けられている。例えば、遠隔操作手段の光信号の出力位置に対して、反射部材５の反射面に向くように反射部材５を回動させることで、光信号が受光用開口部２３１を介して受光素子６２に対して良好に導くことができ、特定の場所での操作を可能にする。さらに、反射部材５は受光用開口部２３１の外側に配設されて、受光用開口部２３１の一部を覆っている。すなわち、反射部材５の外面により、蛍光灯等の外光も反射するので、外光のノイズを遮蔽することができ、受光素子６２が外光のノイズを受光することによるプロジェクター１の誤動作を抑制できる。
【００２５】
（２）プロジェクター１を天井等から吊り下げて（以下、天吊り）設置する場合には、特に、受光装置６が蛍光灯等の外光に近づくため、反射部材５をカバー部材４の上方側を覆うように配置させることで、受光装置６に向う外光を遮蔽することができる。この際、下方からリモコン等により出力される光信号がカバー部材４を透過して、反射部材５により反射されて、受光装置６へ良好に導かれる。
【００２６】
（３）反射部材５は、受光素子６２の配設位置を焦点位置Ｏ１とし、焦点位置Ｏ１を通る直交軸Ａｘを中心として回転させた回転放物曲面状に形成される。これによれば、カバー部材４を回動させない場合において、カバー部材４の内面に設けられる反射部材５により、光信号を確実に受光素子６２の配設位置に集光することができる。また、カバー部材４を回動させた場合であっても、カバー部材４の内面に設けられる反射部材５により、光信号を確実に受光素子６２の配設位置に集光することができ、光信号を受光素子６２に対して良好に導くことができる。
【００２７】
（４）反射部材５は、光信号を透過するカバー部材４の内面に設けられている。例えば、カバー部材４の外面に反射部材５が取り付けられると、リモコン等から出力される光信号がカバー部材４を二回透過して、反射部材５にて反射され、再度カバー部材４を透過することとなる。すなわち、反射部材５をカバー部材４の外面に設けると、光信号が減衰し、受光素子６２が良好に光信号を受光できないおそれがある。これに対して、カバー部材４の内面に反射部材５が取り付けられる場合では、リモコン等から出力される光信号がカバー部材４を一回透過するのみで、反射部材５で反射されることとなる。従って、反射部材５をカバー部材４の外面に取り付ける場合と比べると、光信号の減衰を抑制でき、受光素子６２は良好に光信号を受光することができる。
【００２８】
（５）カバー部材４は、回動可能に外装筐体２に対して取り付けられ、反射部材５は、カバー部材４の内面に設けられているので、カバー部材４を回動させることで、反射部材５も回動することとなる。すなわち、カバー部材４と反射部材５とを一体にしたことで、カバー部材４と反射部材５とを別体にした場合と比べて、構造の簡素化を図れる。
【００２９】
（６）カバー部材４の内面は、受光素子６２を焦点位置Ｏ１として、当該焦点位置Ｏ１を通る直交軸Ａｘを中心として回転させた回転放物曲面状に形成されている。これによれば、カバー部材４の内面に対して、蒸着等によって、光信号を確実に受光素子６２の配設位置に集光する反射部材５を容易に形成することができる。
【００３０】
［第２実施形態］
図４は、本発明の第２実施形態に係るプロジェクター１を前面上方側から見た斜視図である。
図５は、図４でのＶ−Ｖ線断面図であり、本実施形態の要部を示す横断面図である。
図の説明にあたって、前記第１実施形態と同一構成要素については、同一符号を付し、その説明を省略する。
前記第１実施形態では、カバー部材４は、放物曲面状に形成したが、本実施形態では、図４及び図５に示すように、カバー部材４を球面状に形成している。
【００３１】
カバー部材４は、図４に示すように、外面が球面状に形成され、より具体的には、図５に示すように、一部が切り欠かれた球面状に形成されている。カバー部材４の内面についても、外面と同様に形成され、カバー部材４は、略均一な肉厚で形成されている。このカバー部材４は、受光用開口部２３１を閉塞するように、支持部２３４を介して、ロアーケース２Ｂの前面部２３に取り付けられる。
前面部２３の裏面には、図５に示すように、カバー部材４を支持する支持部２３４が設けられている。支持部２３４は、カバー部材４と接触する部分がカバー部材４に対応して球面状に形成され、受光用開口部２３１を囲うように、前面部２３側から見て略円形枠状に形成されている。これにより、カバー部材４が所定位置としての中心位置Ｏ２を中心として回動可能に、支持部２３４に支持される。
【００３２】
上述した第２実施形態によれば、前記第１実施形態の効果に加え、以下の効果がある。
本実施形態では、カバー部材４の外面が球面状であるので、カバー部材４を中心位置Ｏ２を中心として複数方向に回動することができる。また、反射部材５の回動方向の自由度を向上することができる。すなわち、種々の場所での操作を可能とすることができる。
【００３３】
［第３実施形態］
図６は、本発明の第３実施形態に係るプロジェクター１を前面上方側から見た斜視図である。
図７は、図６でのＶＩＩ−ＶＩＩ線断面図であり、本実施形態の要部を示す横断面図である。
図の説明にあたって、前記第１実施形態と同一構成要素については、同一符号を付し、その説明を省略する。
前記第１実施形態では、カバー部材４と反射部材５とは一体に形成されたが、本実施形態では、図７に示すように、カバー部材４と反射部材５とは別体に構成されている。
【００３４】
カバー部材４は、前記第１実施形態でのカバー部材４と同様の材質、形状であるが、このカバー部材４には、頂点位置に挿通孔４３が形成され、支持部２３２にて固定されている。
【００３５】
反射部材５は、図５に示すように、摘み部５１と、ストッパ部５２と、曲面部５３とを備え、カバー部材４の内面側に配設されている。
摘み部５１は、挿通孔４３に挿通され、外部に突出している。突出した摘み部５１を把持して、反射部材５を回動させることにより、反射部材５の位置を光信号の出力位置に対して、反射部材５に向くようにすることができる。
ストッパ部５２は、反射部材５をカバー部材４内に落とし込まないように、カバー部材４の外面にて反射部材５を支持する部分である。
曲面部５３は、焦点位置Ｏ１を通り開口面２３１１に直交する直交軸Ａｘを中心として回転させた回転放物曲面状に形成され、リモコン等から出力される光信号及び蛍光灯等の外光を反射する部分である。
【００３６】
上述した第３実施形態によれば、前記第１実施形態の（１）〜（４）と同様の効果を奏する。
【００３７】
［実施形態の変形］
なお、本発明は前述の実施形態に限定されるものではなく、本発明の目的を達成できる範囲での変形、改良等は本発明に含まれるものである。
前記各実施形態では、反射部材５は、カバー部材４に取り付けられて、カバー部材４とともに回動可能に設けられていたが、カバー部材４を設けずに、反射部材５のみの構成としてもよい。
また、前記第１，２実施形態では、反射部材５がカバー部材４の内面に取り付けられていたが、外面に取り付けられてもよい。
【００３８】
前記第１，３実施形態では、カバー部材４の内面及び外面が放物曲面状に形成されたが、内面が放物曲面状に形成されていればよく、外面が放物曲面状に形成されていなくてもよい。
前記第２実施形態では、カバー部材４の内面及び外面が球面状に形成されたが、外面が球面状に形成されていればよく、内面が球面状に形成されていなくてもよい。
前記各実施形態では、カバー部材４は、ロアーケース２Ｂの前面部２３に取り付けられていたが、これに限定されず、外装筐体２の任意の位置に取り付けられてもよい。
【産業上の利用可能性】
【００３９】
本発明は、プレゼンテーションやホームシアターに用いられるプロジェクターに利用できる。
【符号の説明】
【００４０】
１…プロジェクター、２…外装筐体、４…カバー部材、５…反射部材、６２…受光素子、２３１…受光用開口部、２３１１…開口面、Ａｘ…直交軸、Ｏ１…焦点位置、Ｏ２…中心位置（所定位置）。
【図１】
2010204611.tif 000003
【図２】
2010204611.tif 000004
【図３】
2010204611.tif 000005
【図４】
2010204611.tif 000006
【図５】
2010204611.tif 000007
【図６】
2010204611.tif 000008
【図７】
2010204611.tif 000009